(57)【要約】【課題】  カードを傷付けることなく、かつ、ハウジングとカードとの間に形成される隙間の寸法に関係なく、排出方向へ移動するカードの勢い抑制することができるカード用コネクタ装置の提供。【解決手段】  排出機構部１１が、カード３０の挿入時にカード３０とともに押し込まれてスライドし排出方向へのスライド時にカード３０を押出しつつスライドするスライダ１２と、スライダ１２を排出方向に付勢する弾性部材１７と、スライダ１２に回動可能に設けられる回動部材１８と、回動部材１８が摺動可能に嵌合する溝２０とを備え、溝２０が回動部材１８の挿入・排出方向への移動を案内する案内溝２１と、回動部材を保持する保持溝２２（ハートカム溝）とからなり、案内溝２１が曲折した溝からなる。【選択図】図１
2005235572.tif 000002
【特許請求の範囲】
【請求項１】
カードが装着される装着部と、前記カードを前記装着部に案内する挿入口とが形成されたハウジングと、このハウジングに設けられ、前記装着部から前記カードを排出させる排出機構部とを備えるカード用コネクタ装置であって、
前記排出機構部に設けられ、この排出機構部の動作を制動する制動手段を備えることを特徴とするカード用コネクタ装置装置。
【請求項２】
請求項１記載の発明において、
前記排出機構部が、前記カードの挿入方向および排出方向にスライド可能に設けられるとともに、前記カードの挿入時に前記カードとともに押し込まれてスライドし、前記排出方向へのスライド時に前記カードを押出しながらスライドするスライダと、このスライダを前記排出方向に付勢する弾性部材と、前記スライダに回動可能に設けられる回動部材と、この回動部材が摺動可能に嵌合し、前記挿入方向への前記回動部材の移動を案内する挿入時案内溝と、前記排出方向への前記回動部材の移動を案内する排出時案内溝と、前記挿入時案内溝および前記排出時案内溝に連続し前記カードの装着が完了した位置に対応する位置で前記スライダが保持されるように前記回動部材を保持する保持溝とを備え、
前記制動手段が、曲折した前記排出時案内溝からなることを特徴とするカード用コネクタ装置。
【請求項３】
請求項２記載の発明において、
前記挿入時案内溝と前記排出時案内溝とが同一の溝からなり、前記保持溝がハート形状のハートカム溝からなることを特徴とするカード用コネクタ装置。
【請求項４】
請求項２記載の発明において、
前記挿入時案内溝と前記排出時案内溝とが別個の溝からなり、前記保持溝がハート形状のハートカム溝からなることを特徴とするカード用コネクタ装置。
【発明の詳細な説明】
【技術分野】
【０００１】
本発明は、カードを装着する装着部と、この装着部からカードを排出する排出機構部とを備えるカード用コネクタ装置に関する。
【背景技術】
【０００２】
従来のカード用コネクタ装置は、カードが装着される装着部と、カードが挿入され、カードを装着部に案内する挿入口とが形成されたハウジングを備えている。このハウジングは、装着部および挿入口を構成する凹部が形成されたケースと、このケースに取付けられ凹部を覆う金属製カバーとからなる。
【０００３】
金属製カバーには、装着部内方に突出し、装着部に装着されたカードに弾接する板ばね部が形成されている（特許文献１参照）。
【０００４】
また、従来のカード用コネクタ装置には、カードを排出する排出機構部を備えるものがある。この排出機構部は、例えば、カードの挿入方向および排出方向にスライド可能に設けられるスライダと、このスライダをカードの排出方向に付勢する弾性部材とを備えている。さらに、スライダに回動可能に設けられる回動部材と、この回動部材が摺動可能に嵌合し、挿入方向および排出方向への回動部材の移動を案内する案内溝と、この案内溝に連続しカードの装着が完了した位置に対応する位置でスライダが保持されるように回動部材を保持する保持溝とを備えている。
【０００５】
従来のカード用コネクタ装置では、排出機構部によりカードが排出される際、板ばね部がカードに弾接していることによって、排出方向への移動に抗する抵抗力がカードに作用する。したがって、排出方向へ移動するカードの勢いを抑制することができる。
【特許文献１】特開２００３−３０８４９０号公報
【発明の開示】
【発明が解決しようとする課題】
【０００６】
従来のカード用コネクタ装置では、金属製カバーに形成された板ばね部により、排出方向に移動するカードの勢いを抑制できるものの、板ばね部がカードに弾接しているために、カードと板ばね部がこすれて、カードに傷が付き、カードの美観を損ねるという問題がある。
【０００７】
また、従来のカード用コネクタ装置では、装着部に装着されたカードと金属製カバーとの間に形成される隙間が、金属製カバーに板ばね部を設けるには大きくすぎるものがある。
【０００８】
本発明は、上述した従来技術の実状を考慮してなされたもので、その目的は、カードを傷付けることなく、かつ、ハウジングとカードとの間に形成される隙間の寸法に関係なく、排出方向へ移動するカードの勢い抑制することができるカード用コネクタ装置を提供することにある。
【課題を解決するための手段】
【０００９】
上述の目的を達成するために、本発明は、カードが装着される装着部と、前記カードを前記装着部に案内する挿入口とが形成されたハウジングと、このハウジングに設けられ、前記装着部から前記カードを排出させる排出機構部とを備えるカード用コネクタ装置であって、前記排出機構部に設けられ、この排出機構部の動作を制動する制動手段を備えることを特徴とする。
【００１０】
このように構成した本発明では、排出機構部に設けられる制動手段によって、排出機構部の動作が制動され、これに伴って、排出方向へ移動するカードの勢いが抑制される。これにより、カードを傷付けることなく、かつ、ハウジングとカードとの間に形成される隙間の寸法に関係なく、排出方向へ移動するカードの勢い抑制することができる。
【００１１】
また、本発明は、前記発明において、前記排出機構部が、前記カードの挿入方向および排出方向にスライド可能に設けられるとともに、前記カードの挿入時にカードとともに押し込まれてスライドし、前記排出方向へのスライド時に前記カードを押出しながらスライドするスライダと、このスライダを前記排出方向に付勢する弾性部材と、前記スライダに回動可能に設けられる回動部材と、この回動部材が摺動可能に嵌合し、前記挿入方向への前記回動部材の移動を案内する挿入時案内溝と、前記排出方向への前記回動部材の移動を案内する排出時案内溝と、前記挿入時案内溝および前記排出時案内溝に連続し前記カードの装着が完了した位置に対応する位置で前記スライダが保持されるように前記回動部材を保持する保持溝とを備え、前記制動手段が、曲折した前記排出時案内溝からなることを特徴とする。
【００１２】
このように構成した本発明では、カードがスライダによって押出されてながら装着部から排出される。この間、スライダとともに排出方向へ移動する回動部材が、曲折した排出時案内溝に沿って蛇行する。これにより、回動部材の排出方向への移動が制動され、これに伴って、スライダの排出方向への移動が制動され、この結果、スライダに押出されて排出方向へ移動するカードの勢いが抑制される。つまり、本発明では、曲折した排出時案内溝によって、排出方向へ移動するカードの勢いを抑制することができる。
【００１３】
また、本発明は、前記発明において、前記挿入時案内溝と前記排出時案内溝とが同一の溝からなり、前記保持溝がハート形状のハートカム溝からなることを特徴とする。
【００１４】
このように構成した本発明では、排出時案内溝および挿入時案内溝が同一の溝からなるので、排出時案内溝および挿入時案内溝の配置するために必要なスペースを小さくすることができる。
【００１５】
また、本発明は、前記発明において、前記挿入時案内溝と前記排出時案内溝とが別個の溝からなり、前記保持溝がハート形状のハートカム溝からなることを特徴とする。
【００１６】
このように構成した本発明では、排出時案内溝を回動部材が摺動するときにのみ、回動部材が制動されるので、カードの排出時のみに、カードの勢いを抑制することができる。
【発明の効果】
【００１７】
以上で説明したように、本発明によれば、カードを傷付けることなく、かつ、ハウジングとカードとの間に形成される隙間の寸法に関係なく、排出方向へ移動するカードの勢い抑制することができる。したがって、カードの美観の維持に貢献できるとともに、ハウジングの形状の自由度の向上に貢献できる。
【発明を実施するための最良の形態】
【００１８】
以下で、本発明のカード用コネクタ装置の一実施形態について図を用いて説明する。
【００１９】
＜本実施形態の構成＞
本実施形態の構成について図１，２を用いて説明する。
【００２０】
図１は、本発明のカード用コネクタ装置の一実施形態の構成を示す図であって、本実施形態に備えられるカバーを透視した透視図、図２は、図１に示す実施形態に備えられるハートカム溝の拡大平面図である。なお、図１における紙面の上側を、カード用コネクタ装置の前側として説明する。
【００２１】
図１に示すように、本実施形態は、カード３０が装着される装着部４と、カード３０が挿入され、装着部４にカード３０を案内する挿入口５とが形成されたハウジング１と、このハウジング１に設けられ、装着部４からカード３０を排出させる排出機構部１１と、挿入口５を開閉させる開閉部材４０とを備えている。
【００２２】
ハウジング１は、装着部４および挿入口５を構成する凹部３が形成された樹脂製のケース２と、このケース２に取付けられ、凹部３を覆う金属製のカバー９とからなる。
【００２３】
カード３０の裏面には図示しない複数の端子が露出しており、ケース２の底面には、装着部４内に突出し、カード３０の複数の端子のそれぞれが接触する複数のコンタクト端子１０を設けてある。複数のコンタクト端子１０は、インサート成形によりケース２に設けてある。
【００２４】
排出機構部１１は、カード３０の挿入方向（矢印Ａ方向）および排出方向（矢印Ｂ方向）にスライド可能に設けられるスライダ１２と、このスライダ１２を排出方向に付勢する弾性部材１７と、スライダ１２に回動可能に設けられる回動部材１８と、スライダ１２の移動時に回動部材１８が摺動する溝２０とを備えている。
【００２５】
スライダ１２は、平面視形状が略コ字形状の部材からなる。このスライダ１２の内側は、カード３０の前端側が嵌合可能な嵌合部１３となっている。このスライダ１２は、挿入方向および排出方向に直交する方向（図における左右方向）において対向するケース２の側壁面２ｄ，２ｅ間に、挿入方向および排出方向に摺動可能に嵌合してある。このスライダ１２は、カード３０の挿入時にカード３０とともに押し込まれてスライドし、排出方向へのスライド時にカード３０を押出しながらスライドするように設けてある。
【００２６】
また、スライダ１２の一方の側部、例えば左側部には、カード３０の左側部に形成された切欠き部３０ａに係合可能な係合部材１４を設けてある。この係合部材１４は、スライダ１２の左側部内方へ撓む板ばねからなり、スライダ１２の嵌合部１３内方に突出してカード３０の切欠き部３０ａに係合可能な突出部１４ａを有する。つまり、嵌合部１３に対するカード３０の嵌合が、係合部材１４がスライダ１２の左側部内方に撓むことによって許容され、嵌合部１３に対するカード３０の排出方向への移動が、切欠き部３０ａに対する突出部１４ａの係合により抑制されるようにしてある。
【００２７】
弾性部材１７は、引張りコイルばねからなる。この弾性部材１７は、ケース２の一方の側部、例えば右側部に形成した溝部１６に配置してある。弾性部材１７の一端は、スライダ１２の裏面に形成される突出部１２ｆに係止してあり、弾性部材１７の他端は、溝部１６の底面に形成される突出部１６ａに係止してある。
【００２８】
回動部材１８は、側面視形状をコ字形状に形成した金属製のピンである。この回動部材１８の一端部１８ａは、スライダ１２の前端部に回動可能に支持してあり、他端部１８ｂは溝２０に配置してある。また、回動部材１８の一端部１８ａと他端部１８ｂ間に位置する中間部１８ｃは、スライダ１２に固定した板ばね２３によって溝２０の底面方向に押圧してあり、これにより、回動部材１８の他端部１８ｂが、溝２０の底面に圧接されるようにしてある。
【００２９】
開閉部材４０は、左右両端部をカバー９の後端部に矢印Ｃ方向に回動可能に支持される板体からなる。この開閉部材４０は、カード３０が挿入されない状態において、図示しない捻りコイルばねにより付勢されてハウジング１の内方側からカバー９に当接して挿入口５を塞いでおり、カード３０が挿入される際は、カード３０の前端面３０ｂにより押圧されてハウジング１の内方側に回動して開くようになっている。なお、図１では、開閉部材４０が開いた状態を示している。
【００３０】
溝２０は、前記溝部１６の底面に形成してある。この溝２０は、図２に示すように、挿入方向および排出方向への回動部材１８の移動を案内する案内溝２１と、案内溝２１に連続しカード３０の装着が完了した位置に対応する位置でスライダ１２が保持されるように回動部材１８を保持する保持溝２２とからなる。案内溝２１は、前後方向に延び、曲折した溝からなる。保持溝２０は、略ハート形状に形成されたハートカム溝からなる。この保持溝２０は、回動部材１８の他端部１８ｂが弾性部材１７の付勢力に抗した状態で係合する係合部２２ａを有する。
【００３１】
特に、本実施形態では、排出機構部１１の動作を制動する制動手段を備えている。この制動手段は、例えば、ハウジング１の幅方向（左右方向）に曲折した前記案内溝２１からなる。
【００３２】
＜本実施形態の動作＞
このように構成した本実施形態の動作を、図１〜４を用いて説明する。
【００３３】
上述した図１は、本実施形態に備えられるスライダが初期位置に保持された状態を示す透視図でもある。図２は、回動部材の動作を示す図でもある。また、図３は、スライダが挿入方向または排出方向に移動中の状態を示す透視図、図４は、カードの装着が完了したときのスライダの状態を示す透視図である。
【００３４】
［カードの挿入時］
カード３０が挿入される前、スライダ１２の後端面１２ｂ，１２ｃは、弾性部材１７の付勢力によりケース２後端の内壁面２ｂ，２ｃに押し付けられた状態にある。これにより、スライダ１２は、図１に示す初期位置に保持されている。
【００３５】
カード３０が挿入口５から挿入されて押し込まれると、同図１に示すように、カード３０の前端側がスライダ１２の嵌合部１３に嵌合し、カード３０の前端面３０ｂが嵌合部１３前端の内壁面１３ａに当接する。このとき、係合部材１４の突出部１４ａがカード３０の切欠き部３０ａに係合する。
【００３６】
さらにカード３０が押し込まれると、図３に示すように、カード３０によりスライダ１２が押圧されて、弾性部材１７の付勢力に抗してカード３０とともに挿入方向（矢印Ａ方向）へ移動する。スライダ１２が挿入方向に移動する間、図２において矢印ａ１，ａ２で示すように、回動部材１８の他端はスライダ１２の移動に伴って、曲折した案内溝２１に沿って蛇行しながら挿入方向へ移動する。
【００３７】
さらにカード３０が押し込まれると、スライダ１２の前端面１２ａがケース２前端の内壁面２ａに当接する。これにより、スライダ１２の挿入方向への移動が規制され、これに伴って、カード３０の挿入方向への移動が規制される。このとき、回動部材１８の他端部１８ｂは、図２において矢印ａ３で示すように、保持溝２２（ハートカム溝）の第１端部２２ｂに移動する。
【００３８】
スライダ１２の前端面１２ａがケース２前端の壁面に当接した状態で、カード３０を押し込むための押圧力が取除かれると、弾性部材１７による排出方向（矢印Ｂ方向）への付勢により、スライダ１２が僅かに排出方向へ移動する。この間、回動部材１８の他端部１８ｂは、図２において矢印ａ４で示すように、第１端部２２ｂから係合部２２ａに移動し、弾性部材１７の排出方向への付勢力に抗して係合部２２ａに係合する。これにより、スライダ１２は、図４に示す保持位置に保持され、カード３０の装着が完了する。
【００３９】
［カードの排出時］
図４に示すように、装着部４にカード３０が装着された状態で、カード３０が挿入方向（矢印Ａ方向）に押圧されると、スライダ１２が弾性部材１７の付勢力に抗して僅かに挿入方向に移動して、スライダ１２の前端面１２ａがケース２前端の内壁面２ａに当接する。この間、回動部材１８の他端部１８ｂは、図２において矢印ｂ１で示すように、係合部２２ａから第２端部２２ｃに移動する。
【００４０】
次に、カード３０に対する押圧力が取除かれると、スライダ１２が弾性部材１７の付勢力によりカード３０を押出しながら排出方向（矢印Ｂ方向）に移動する。これに伴って、回動部材１８は、保持溝２２の第２端部２２ｃから案内溝２１へ移動し、図２において矢印ｂ３，ｂ４で示すように曲折した案内溝２１に沿って蛇行しながら排出方向へ移動する。
【００４１】
回動部材１８が案内溝２１を排出方向に移動している間、案内溝２１が曲折していることによって、回動部材１８の排出方向への移動が制動され、これに伴って、スライダ１２の排出方向への移動も制動される。これにより、スライダ１２に押出されて排出方向へ移動するカード３０の勢いが抑制されつつ、図１に示す初期位置までカード３０が排出されて、カード３０の排出が完了する。
【００４２】
＜本実施形態の効果＞
本実施形態によれば次の効果を得られる。
【００４３】
本実施形態では、排出機構部１１に設けた制動手段、すなわち、曲折した案内溝２１によって、回動部材１８とともにスライダ１２の排出方向への移動が制動され、これに伴って、排出方向へ移動するカード３０の勢いが抑制される。これにより、カード３０を傷付けることなく、かつ、ハウジング１の厚さ方向においてハウジング１とカード３０との間に形成される隙間の寸法に関係なく、排出方向へ移動するカード３０の勢い抑制することができる。したがって、カード３０の美観の維持に貢献できるとともに、ハウジング１の形状の自由度の向上に貢献できる。
【００４４】
また、本実施形態では、案内溝２１が、挿入方向および排出方向への回動部材１８の移動を案内する溝からなる。つまり、挿入方向への回動部材１８の移動を案内する挿入時案内溝と、排出方向への回動部材１８の移動を案内する排出時案内溝とを同一の溝にしてある。これにより、排出時案内溝および挿入時案内溝を設けるために必要なスペースを小さくすることができる。
【００４５】
なお、本実施形態では、制御手段がハウジング１の幅方向に曲折した案内溝２１からなり、この案内溝２１の幅を一定に形成してあるが、本発明はこれに限るものではなく、カードの挿入時の制動力が排出時よりも小さくなるように、案内溝２１の幅に変化をつけてもよい。
【００４６】
また、本実施形態では、制御手段がハウジング１の幅方向に曲折した案内溝２１からなるが、本発明はこれに限るものではなく、案内溝２１の平面視形状を直線状に形成して、底面の深さに変化をつけたものでもよい。
【００４７】
また、本実施形態では、挿入方向への回動部材１８の移動を案内する挿入時案内溝と、排出方向への回動部材１８の移動を案内する排出時案内溝とを同一の溝にしてあるが、本発明は、これに限るものではなく、挿入時案内溝と排出時案内溝とを別個に形成してもよい。このように構成したものでは、排出時案内溝を回動部材１８が摺動するときにのみ、回動部材１８が制動されるので、カード３０の排出時にのみ、カード３０の勢いを抑制することができる。
【００４８】
また、本実施形態では、制御手段が曲折した案内溝２１からなるが、本発明はこれに限るものではなく、回動部材１８にゴム材を取付ける等、回動部材１８と案内溝２１間の摩擦力を大きくすることによって、回動部材１８の移動を制動してもよい。
【図面の簡単な説明】
【００４９】
【図１】本発明のカード用コネクタ装置の一実施形態の構成を示す図であって、本実施形態に備えられるカバーを透視した透視図である。
【図２】図１に示す実施形態に備えられるハートカム溝の拡大平面図である。
【図３】本実施形態に備えられるスライダがスライド中の状態を示す透視図である。
【図４】カードの装着が完了したときのスライダの状態を示す透視図である。
【符号の説明】
【００５０】
１    ハウジング
２    ケース
４    装着部
５    挿入口
９    カバー
１０  コンタクト端子
１１  排出機構部
１２  スライダ
１７  弾性部材
１８  回動部材
２０  溝
２１  案内溝（挿入時案内溝、排出時案内溝）
２２  保持溝（ハートカム溝）
３０  カード
【図１】
2005235572.tif 000003
【図２】
2005235572.tif 000004
【図３】
2005235572.tif 000005
【図４】
2005235572.tif 000006